(57)【要約】      （修正有）【課題】取り扱いや輸送が容易で、価格を抑えることが可能な訓練用ダミー人形を提供する。【解決手段】シート製で、肉厚板状長方体で開閉自在な開口部を有する胴体部１０と、シート製の略筒状で、一端が胴体部１０の上部に連結され、他端が上方に伸びて開放された頭部２０と、シート製の筒状で、一端が胴体部１０の側方上部に連結され、他端が略側方に伸びて開放された２本の腕部３０と、シート製の筒状で、一端が胴体部１０の下部側方に連結され、他端が略下方に伸びて開放された２本の足部４０とを備えることを特徴とする。【選択図】図２
0003197475.tif 000002
【実用新案登録請求の範囲】
【請求項１】
救助訓練に用いられる訓練用ダミー人形において、
シート製で、肉厚板状長方体で開閉自在な開口部を有する胴体部と、
シート製の略筒状で、一端が該胴体部の上部に連結され、他端が上方に伸びて開放された頭部と、
シート製の筒状で、一端が該胴体部の側方上部に連結され、他端が略側方に伸びて開放された２本の腕部と、
シート製の筒状で、一端が該胴体部の下部側方に連結され、他端が略下方に伸びて開放された２本の足部とを備えることを特徴とする訓練用ダミー人形。
【請求項２】
前記胴体部、前記頭部、前記腕部及び前記足部が、テント生地でなることを特徴とする請求項１記載の訓練用ダミー人形。
【請求項３】
前記胴体部、前記頭部、前記腕部及び前記足部の中に、詰物を配し、
該腕部の肘関節位置を紐状物で結束し、該足部の膝関節位置を紐状物で結束したことを特徴とする請求項１又は請求項２記載の訓練用ダミー人形。
【考案の詳細な説明】
【技術分野】
【０００１】
本考案は、救助訓練等の訓練時に用いられる訓練用ダミー人形に関する。
【背景技術】
【０００２】
従来より、災害救助等の訓練において、人を模した訓練用ダミー人形が用いられている。例えば、特許文献１に示されるような救助訓練用人形がある。特許文献１の救助訓練用人形は、頭部外皮内に配される頭部芯材と軟質性内装部材と、胴部外皮内に配される胴部芯材と軟質性内装部材と、腕部外皮内に配される腕部芯材と軟質性内装部材と、脚部外皮内に配される脚部芯材と軟質性内装部材で構成され、各芯材は普通鋼からなる一連の芯材構造であり、その所定箇所には重量増大部が備えられており、各芯材を連結する関節部等は、軸を中心に回転自在で、かつ連結箇所には揺動可能なスペース等が形成されている。
【先行技術文献】
【特許文献】
【０００３】
【特許文献１】特開２０１４−１３７５０４号公報
【考案の概要】
【考案が解決しようとする課題】
【０００４】
しかしながら、従来の訓練用ダミー人形である救助訓練用人形は、構造が人間に近く高度な訓練に適しているものの、構造が複雑で価格も高く、高度とまではいえない簡易的な訓練においては、ここまでの性能や機能を必要としない。
【０００５】
本考案は、このような事情に鑑みてなされたもので、取り扱いや輸送が容易で、価格を抑えることが可能な訓練用ダミー人形を提供することにある。
【課題を解決するための手段】
【０００６】
請求項１記載の訓練用ダミー人形は、シート製で、肉厚板状長方体で開閉自在な開口部を有する胴体部と、シート製の略筒状で、一端が胴体部の上部に連結され、他端が上方に伸びて開放された頭部と、シート製の筒状で、一端が胴体部の側方上部に連結され、他端が略側方に伸びて開放された２本の腕部と、シート製の筒状で、一端が胴体部の下部側方に連結され、他端が略下方に伸びて開放された２本の足部とを備えることを特徴とする。
【０００７】
請求項２記載の訓練用ダミー人形は、胴体部、頭部、腕部及び足部が、テント生地でなることを特徴とする。
【０００８】
請求項３記載の訓練用ダミー人形は、胴体部、頭部、腕部及び足部の中に、詰物を配し、腕部の肘関節位置を紐状物で結束し、足部の膝関節位置を紐状物で結束したことを特徴とする。
【考案の効果】
【０００９】
本考案によれば、構造が簡易で、取り扱いや輸送が容易で、価格を抑えることが可能である。
【図面の簡単な説明】
【００１０】
【図１】本考案に係る訓練用ダミー人形の一例を示す正面図である。
【図２】同訓練用ダミー人形を示す斜視図である。
【図３】同訓練用ダミー人形の背面図である。
【図４】同訓練用ダミー人形の展開説明図である。
【図５】同訓練用ダミー人形の使用例を示す説明図である。
【考案を実施するための形態】
【００１１】
以下、本考案の形態について図面を参照しながら具体的に説明する。図１は、本考案に係る訓練用ダミー人形の一例を示す正面図である。図２は、同訓練用ダミー人形を示す斜視図である。図３は、同訓練用ダミー人形の背面図である。図４は、同訓練用ダミー人形の展開説明図である。図５は、同訓練用ダミー人形の使用例を示す説明図である。
【００１２】
本実施の形態に係る訓練用ダミー人形１は、災害救助等の救助訓練等の訓練時に用いられる人を模したものである。訓練用ダミー人形１は、図でも明らかなように人型の形状で、胴体部１０、頭部２０、腕部３０、足部４０とからなる。具体的には、胴体部１０は、シート製で、肉厚板状長方体で開閉自在な開口部１２を有する。頭部２０は、シート製の略筒状で、一端が胴体部１０の上部に連結され、他端が上方に伸びて開放されている。２本の腕部３０は、シート製の筒状で、一端が胴体部１０の側方上部に連結され、他端が略側方に伸びて開放されている。２本の足部４０は、シート製の筒状で、一端が胴体部１０の下部側方に連結され、他端が略下方に伸びて開放されている。
【００１３】
訓練用ダミー人形１の各部の材質は、変形性に優れたシート製で、材質や材質に関係する通気性等については特にこだわるものではなく、訓練の内容によって、適宜選択するようにすればよい。訓練用ダミー人形１の各部の材質は、例えば、単なる布や革でも、ビニルのような合成樹脂であってもよいが、撥水性や耐候性や耐久性を考慮すると、テント生地が適している。また、例えば、訓練用ダミー人形１の各部の材質として、防炎性や不燃性のものを用いることにより、火の中での訓練にも用いることができる等、より一層用途が広がることにもなる。
【００１４】
また、訓練用ダミー人形１の各部の色についても、任意であり、例えば、訓練の種類で色を変えたり、トリアージ訓練の為に意図的に色を決定したり、各部によって色を変えたり、さらには色の違う訓練用ダミー人形１複数用意し、訓練用ダミー人形１を区別化しながら訓練を行うようなことも可能である。
【００１５】
訓練用ダミー人形１は、各部は中が空洞であり、且つシート製であるので、使用しない状態では、折りたたんで容易に運ぶことが可能である。訓練用ダミー人形１を訓練等で使用する場合には、例えば、各部の中に空気を入れ、各開口部１２，２０ａ，３０ａ，４０ａを閉じることで、使用することができる。
【００１６】
訓練用ダミー人形１の一般的な使用方法としては、図４及び図５に示すように、各種の詰物２２，３２，３４，４２，４４を各部の中に配するようにする。具体的には、例えば、胴体部１０には、開口部１２から、砂の入った砂袋を入れたりすればよい。尚、胴体部１０の開口部１２を開閉自在にするために、開口部１２にファスナやベルベットファスナを設けるようにしてもよい。また、頭部２０には、例えば、砂の入った砂袋である詰物２２を、開口部２０ａに挿入すればよい。そして、頭部２０の開口部２０ａ側を折り返して折返部２０ｂとし、この折返部２０ｂを接着テープ２６で接着すれば、人の頭に模した頭部２０となる。
【００１７】
また、腕部３０や足部４０のように、略直線上で所定の固さが必要な部分には、例えば、紙管のような、筒状で所定の固さを有する詰物３２，３４，４２，４４を開口部３０ａ，４０ａに挿入するようにすればよい。そして、図４に示すように、腕部３０の開口部３０ａ側を折り返して折返部３０ｂとし、この折返部３０ｂを接着テープ３６で接着すれば、人の腕に模した腕部３０となる。腕部３０は、更に、人の肘関節位置に相当する位置を紐状物である例えば紐３８は結束することで、肘部分を擬似的にもたせることが可能となる。足部４０も開口部４０ａ側を折り返して折返部４０ｂとし、この折返部４０ｂを接着テープ４６で接着すれば、人の足に模した足部４０となる。足部４０も、更に、人の膝関節位置に相当する位置を紐状物である例えば紐４８は結束することで、膝部分を擬似的にもたせることが可能となる。
【００１８】
尚、詰物２２，３２，３４，４２，４４の材質にこだわるものではなく、訓練等の内容等や調達の都合等により適宜選択すればよい。また、訓練用ダミー人形１自体の大きさについても、成人男性、成人女性、子供等、いろいろな大きさを適宜定めるようにしてもよく、大きさにこだわるものではない。
【００１９】
以上のような、本実施の形態の訓練用ダミー人形１は、構造が簡易で、取り扱いや輸送が容易で、価格を抑えることが可能である。
【産業上の利用可能性】
【００２０】
本考案により、取り扱いや輸送が容易で、価格を抑えることが可能な訓練用ダミー人形を提供することができる。
【符号の説明】
【００２１】
１・・・・・訓練用ダミー人形
１０・・・・胴体部
１２・・・・開口部
２０・・・・頭部
２０ａ・・・開口部
２０ｂ・・・折返部
２２・・・・詰物
２６・・・・接着テープ
３０・・・・腕部
３０ａ・・・開口部
３０ｂ・・・折返部
３２・・・・詰物
３４・・・・詰物
３６・・・・接着テープ
３８・・・・紐
４０・・・・足部
４０ａ・・・開口部
４０ｂ・・・折返部
４２・・・・詰物
４４・・・・詰物
４６・・・・接着テープ
４８・・・・紐
【図１】
0003197475.tif 000003
【図２】
0003197475.tif 000004
【図３】
0003197475.tif 000005
【図４】
0003197475.tif 000006
【図５】
0003197475.tif 000007